(57)【要約】      （修正有）【課題】ヨレが起こり難く、フィット性及び漏れ防止性に優れた吸収性物品を提供する。【解決手段】吸収体４は、その横方向中央部がその周囲領域よりも厚みが厚く且つ肌対向面側に突出する中高部を有し、中高部は、着用時に着用者の排泄部に対向配置される排泄部対向部Ｂを通って縦方向に延び且つ本体５を縦方向に二分する仮想直線Ｌ１を跨ぐ、排泄部対向中高領域４１を含んでいる。本体５の肌対向面２ａに、排泄部対向中高領域４１を囲繞し且つ排泄部対向中高領域４１に沿って縦方向Ｘに延びる連続した直線状部分５１を有する第１の溝５０と、該第１の溝５０の縦方向後端５０ｂよりも縦方向Ｘの後側に位置する第２の溝６０とが形成されており、第１の溝５０と第２の溝６０とは繋がっていない。第２の溝６０は、縦方向Ｘに延びる一対の縦溝部６１，６１を有し且つ平面視において縦方向前側が開いた形状をなしている。【選択図】図１
0003204425.tif 000002
【実用新案登録請求の範囲】
【請求項１】
肌対向面を形成する表面シート、非肌対向面を形成する裏面シート及び両シート間に介在された吸収体を具備する本体を備え、着用者の前後方向に相当する縦方向とこれに直交する横方向とを有する吸収性物品であって、
前記吸収体は、その横方向中央部がその周囲領域よりも厚みが厚く且つ肌対向面側に突出する中高部を有し、該中高部は、着用時に着用者の排泄部に対向配置される排泄部対向部を通って縦方向に延び且つ前記本体を縦方向に二分する仮想直線を跨ぐ、排泄部対向中高領域を含んでおり、
前記本体の肌対向面に、前記表面シート及び前記吸収体が前記裏面シート側に向かって一体的に凹陥してなる溝として、前記排泄部対向中高領域を囲繞し且つ該排泄部対向中高領域に沿って縦方向に延びる連続した直線状部分を有する第１の溝と、該第１の溝の縦方向後端よりも縦方向後側に位置する第２の溝とが形成されており、該第１の溝と該第２の溝とは繋がっておらず、
前記第２の溝は、縦方向に延びる一対の縦溝部を有し且つ平面視において縦方向前側が開いた形状をなしている吸収性物品。
【請求項２】
前記中高部は、前記排泄部対向中高領域に加えて更に、前記第１の溝の縦方向後端よりも縦方向後側で且つ前記第２の溝を構成する一対の前記縦溝部又は該縦溝部の仮想延長線の間に位置する、後方中高領域を含んでいる請求項１記載の吸収性物品。
【請求項３】
前記第２の溝の縦方向前端は、前記後方中高領域の縦方向前端よりも縦方向後側に位置する請求項２記載の吸収性物品。
【請求項４】
前記本体の縦方向に沿う左右両側部に、少なくとも前記排泄部対向部において着用時に着用者の肌側に向かって起立する一対の立体ギャザーが設けられており、該立体ギャザーは、基壁部と、該基壁部の上端部に連接され、縦方向に沿って弾性部材が伸長状態で配されている弾性伸縮部とを含んで構成されており、
前記排泄部対向部を挟んで前記立体ギャザーの縦方向前側及び後側それぞれに、前記弾性伸縮部が前記本体に接合されその伸縮性が阻害された、非伸縮領域が形成されており、縦方向において、縦方向後側の該非伸縮領域と前記第２の溝とが重なっている請求項１〜３の何れか一項に記載の吸収性物品。
【請求項５】
前記第１の溝は、縦方向に延びる一対の縦溝部と横方向に延びる一対の横溝部とを有し、該第１の溝を構成する該縦溝部及び該横溝部は、それぞれ、前記表面シートにおける凹陥していない肌対向面からの凹陥深さが相対的に深い深凹陥部と、該凹陥深さが相対的に浅い浅凹陥部とが、一方向に交互に配置されて形成されており、
前記第１の溝を構成する一対の前記縦溝部それぞれにおいては、前記深凹陥部及び前記浅凹陥部は、それぞれ、横方向内側から外側に向かい且つ縦方向後側から前側に斜めに延びる、仮想斜行直線に沿って配置されており、
前記第１の溝を構成する一対の前記横溝部のうちの縦方向後側に位置する後側横溝部においては、前記深凹陥部及び前記浅凹陥部は、それぞれ、縦方向に沿って配置されている請求項１〜４の何れか一項に記載の吸収性物品。
【考案の詳細な説明】
【技術分野】
【０００１】
本考案は、生理用ナプキン等の吸収性物品に関する。
【背景技術】
【０００２】
従来、生理用ナプキン等の吸収性物品において、漏れ防止性や装着性を向上させるために、その肌対向面側に、表面シート及び吸収体が裏面シート側に向かって一体的に凹陥してなる溝を形成することが知られている。
【０００３】
例えば特許文献１には、折り返しフラップ部とこれよりも後方に位置する後方フラップ部とを備えた生理用ナプキンにおいて、その肌対向面に液吸収領域を囲む圧縮溝を形成し、且つ該圧縮溝を、該後方フラップ部の半幅寸法が最大となる位置又は該位置の近傍に位置させることが記載されている。特許文献１によれば、圧縮溝で囲まれた部分が肌側に隆起し、その隆起部分が膣口から会陰部及び肛門にかけて密着し易く且つその密着部分から外れにくいため、股間部を伝って後方へ流れようとする経血を、圧縮溝で囲まれた部分で捕捉し易いとされている。また特許文献２には、吸収性物品の長手方向に略直線状の防漏溝を一対形成し、この一対の防漏溝の間に、円弧状又はハの字状の防漏溝を形成することが記載されている。
【０００４】
また、生理用ナプキン等の吸収性物品において、身体への密着性や漏れ防止性を向上させるために、中央部や中央部から臀部にかけて、吸収体を凸状に突出させて中高部を形成することが知られている。
【０００５】
例えば特許文献３には、吸収性物品の前後方向に縦長に連続する隆起部（中高部）と該隆起部を囲む圧搾溝とを有し、該隆起部が、膣口に当たる前方領域と臀部に当接する後方領域とを有し、該前方領域と該後方領域とで押圧したときの表面の沈み量が異なる生理用ナプキンが記載されている。また特許文献４には、吸収性物品の前方部に位置する前方中高部と後方部に位置する後方中高部とを別個に設け、該前方中高部と該後方中高部との間に、該前方部又は該後方部の変形を互いに影響させない折り曲げ起点として、凹部（溝）を形成することが記載されている。
【先行技術文献】
【特許文献】
【０００６】
【特許文献１】特開２００５−１７７０８７号公報
【特許文献２】特開２００７−１５２０３２号公報
【特許文献３】特開２００３−１０２４０号公報
【特許文献４】特開２００６−２３９１６２号公報
【考案の概要】
【考案が解決しようとする課題】
【０００７】
この種の吸収性物品には適正な着用位置があり、経血等の排泄液を直接受けることが可能に設計された排泄領域が、適正な位置（例えば、着用者の排泄部と対向する位置）にくるように着用されて初めて、吸収性物品本来の作用効果が十分に発揮されるところ、実際の吸収性物品の着用時においては、着用者の体の動き等の影響により、排泄領域は着用者の前後方向にズレ易く、特に、着用者による吸収性物品の意図的な配置もあって、後方にズレ易い傾向がある。例えば、生理中の女性が就寝中に生理用ナプキンを着用する場合、就寝中に経血がナプキンの後方へ流れて漏れ出ること（後漏れ）を懸念して、予めナプキンを通常の位置よりも前寄りに装着する場合があり、斯かる場合は、着用当初から生理用ナプキンが本来の適正な着用位置よりも前方にズレた状態となる。このような着用時における吸収性物品の前後方向のズレは、吸収性物品の各部、例えば溝の形成箇所の変形を誘発し、この変形が解消されない場合、ヨレとなり、吸収性物品のフィット性、漏れ防止性等に悪影響を及ぼしやすい。
【０００８】
特許文献１〜４に記載の吸収性物品は、何れも肌対向面側に、表面シート及び吸収体が裏面シート側に向かって一体的に凹陥してなる溝が形成されているものであるところ、その溝の平面視形状、配置等が適切でなく、また、中高部が形成されている場合には、その中高部との関係において溝が適切に形成されていないため、前述した着用時における吸収性物品の前後方向のズレが生じたときに、特に吸収性物品の後方部において、溝を起点としてヨレ易く、フィット性、漏れ防止性の点で改良の余地があった。
【０００９】
従って本考案の課題は、ヨレが起こり難く、フィット性及び漏れ防止性に優れた吸収性物品を提供することにある。
【課題を解決するための手段】
【００１０】
本考案は、肌対向面を形成する表面シート、非肌対向面を形成する裏面シート及び両シート間に介在された吸収体を具備する本体を備え、着用者の前後方向に相当する縦方向とこれに直交する横方向とを有する吸収性物品であって、前記吸収体は、その横方向中央部がその周囲領域よりも厚みが厚く且つ肌対向面側に突出する中高部を有し、該中高部は、着用時に着用者の排泄部に対向配置される排泄部対向部を通って縦方向に延び且つ前記本体を縦方向に二分する仮想直線を跨ぐ、排泄部対向中高領域を含んでおり、前記本体の肌対向面に、前記表面シート及び前記吸収体が前記裏面シート側に向かって一体的に凹陥してなる溝として、前記排泄部対向中高領域を囲繞し且つ該排泄部対向中高領域に沿って縦方向に延びる連続した直線状部分を有する第１の溝と、該第１の溝の縦方向後端よりも縦方向後側に位置する第２の溝とが形成されており、該第１の溝と該第２の溝とは繋がっておらず、前記第２の溝は、縦方向に延びる一対の縦溝部を有し且つ平面視において縦方向前側が開いた形状をなしている吸収性物品を提供することにより、前記課題を解決したものである。
【考案の効果】
【００１１】
本考案の吸収性物品は、ヨレが起こり難く、フィット性及び漏れ防止性に優れる。
【図面の簡単な説明】
【００１２】
【図１】図１は、本考案の吸収性物品の一実施形態である生理用ナプキンの肌当接面側（表面シート側）を模式的に示す平面図である。
【図２】図２は、図１のＩ−Ｉ線断面を模式的に示す断面図である。
【図３】図３は、図１のＩＩ−ＩＩ線断面を模式的に示す断面図である。
【図４】図４は、第１の溝の縦溝部を拡大して模式的に示す平面図である。
【図５】図５は、第１の溝の後側横溝部を拡大して模式的に示す平面図である。
【考案を実施するための形態】
【００１３】
以下、本考案の吸収性物品を、その好ましい一実施形態である生理用ナプキンに基づき図面を参照して説明する。本実施形態のナプキン１は、図１〜図３に示すように、肌対向面を形成する表面シート２、非肌対向面を形成する裏面シート３及び両シート２，３間に介在された吸収体４を具備する本体５を備え、着用者の前後方向に相当する縦方向Ｘとこれに直交する横方向Ｙとを有する。
【００１４】
更に説明すると、ナプキン１は、着用時に着用者の排泄部に対向配置される排泄部対向部Ｂと、着用時に排泄部対向部Ｂよりも着用者の腹側（前側）に配される前方部Ａと、着用時に排泄部対向部Ｂよりも着用者の背側（後側）に配される後方部Ｃとを縦方向Ｘに有している。ここでいう「着用時」は、通常の適正な着用位置（当該吸収性物品の正しい着用位置）が維持された状態を意味し、吸収性物品が該着用位置からズレた状態にある場合は含まない。ナプキン１（本体５）は、図１に示す如き平面視において一方向（縦方向Ｘ）に長い形状をしており実質的に縦長である。
【００１５】
尚、本明細書において、肌対向面は、吸収性物品又はその構成部材（例えば本体５）における、吸収性物品の着用時に着用者の肌側に向けられる面であり、非肌対向面は、吸収性物品又はその構成部材における、吸収性物品の着用時に肌側とは反対側（着衣側）に向けられる面である。また、縦方向Ｘは、吸収性物品又はその構成部材の長辺に沿う方向（長手方向）に一致し、横方向Ｙは、吸収性物品又はその構成部材の幅方向に一致する。
【００１６】
また、本考案の吸収性物品において、排泄部対向部は、本実施形態のナプキン１のようにウイング部を有する場合には、通常、吸収性物品の縦方向（吸収性物品の長手方向、図中のＸ方向）においてウイング部を有する領域（ウイング部の縦方向一方側の付け根と他方側の付け根とに挟まれた領域）である。ウイング部を有しない吸収性物品における排泄部対向部は、吸収性物品が個装形態に折り畳まれた際に生じる、該吸収性物品を横方向（吸収性物品の幅方向、図中のＹ方向）に横断する２本の折曲線（図示せず）について、該吸収性物品の縦方向の前端から数えて第１折曲線と第２折曲線とに囲まれた領域と同じか又は該領域よりも狭い領域である。また、吸収性物品の縦方向の長さが長く、３本の折曲線（図示せず）が生じる場合には、吸収性物品の縦方向の前端から数えて第１折曲線と第２折曲線とに囲まれた領域あるいは該前端から数えて第１折線と第３折曲線とに囲まれた領域と同じか又は該領域よりも狭い領域である。
【００１７】
表面シート２の縦方向Ｘに沿う両側縁は、図２に示すように、吸収体４の縦方向Ｘに沿う両側縁と横方向Ｙにおいて同位置か、又は吸収体４の縦方向Ｘに沿う両側縁よりも幅方向Ｙの内方に位置しており、表面シート２が吸収体４の縦方向Ｘに沿う両側縁に挟まれた領域内に収まっている。吸収体４の縦方向Ｘに沿う側縁は、吸収体４において最も横方向Ｙに突出している縁であり、本実施形態においては後述する下層吸収体４０の縦方向Ｘに沿う側縁である。一方、裏面シート３は、図２及び図３に示すように、吸収体４の非肌対向面の全域を被覆し、更に吸収体４の縦方向Ｘに沿う両側縁から横方向Ｙの外方に延出して、後述するサイドシート１６と共にサイドフラップ部６を形成している。
【００１８】
サイドフラップ部６は、図１に示すように、排泄部対向部Ｂにおいて横方向Ｙの外方に向かって大きく張り出しており、これにより本体５の縦方向Ｘに沿う左右両側に、一対のウイング部７，７が延設されている。また、サイドフラップ部６は、後方部Ｃにおいても横方向Ｙの外方に向かって大きく張り出しており、これにより本体５の縦方向Ｘに沿う左右両側に、一対の後方フラップ部８，８が延設されている。また、表面シート２及び裏面シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００１９】
本体５の非肌対向面（裏面シート３の非肌対向面３ｂ）は、着用時にショーツのクロッチ部等、着衣側に向けられる。非肌対向面３ｂには、ナプキン１をショーツ等の着衣のクロッチ部に固定するための粘着部（図示せず）が設けられている。また、一対のウイング部７，７の非肌対向面には、該ウイング部７をショーツ等の着衣の外面（非肌対向面）に固定するための粘着部（図示せず）が設けられている。また、一対の後方フラップ部８，８は、ナプキン１の着用時に、着衣の内面（肌対向面）上に配されるもので、その非肌対向面には粘着部（図示せず）が設けられている。これらの粘着部は、ホットメルト粘着剤を所定箇所に塗布することにより設けられており、ナプキン１の使用前においてはフィルム、不織布、紙等からなる図示しない剥離シートによって被覆されている。
【００２０】
吸収体４は、図１〜図３に示すように、その横方向Ｙの中央部がその周囲領域よりも厚みが厚く且つ肌対向面側（表面シート２側）に突出する中高部４０を有し、該中高部は、排泄部対向部Ｂを通って縦方向Ｘに延び且つ本体５（ナプキン１）を縦方向Ｘに二分する仮想直線Ｌ１を跨ぐ、排泄部対向中高領域４１を含んでいる。本実施形態における中高部は、排泄部対向中高領域４１に加えて更に、後述する第１の溝５０の縦方向後端５０ｂよりも縦方向Ｘの後側で且つ後述する第２の溝６０を構成する一対の縦溝部６１，６１又は該縦溝部６１，６１の仮想延長線Ｌ２，Ｌ２の間に位置する、後方中高領域４２を含んでいる。後方中高領域４２は、排泄部対向中高領域４１に比して面積が小さくなされている。
【００２１】
より具体的には、吸収体４は、平面視において角が丸みを帯びた略矩形形状で且つ前方部Ａから排泄部対向部Ｂを介して後方部Ｃに亘って延びる、下層吸収体４５と、下層吸収体４５よりも横方向Ｙの長さが短くいわゆる幅狭で且つ排泄部対向部Ｂにおいて下層吸収体４５の横方向Ｙの中央部の肌対向面上に配置された、前側上層吸収体４６と、下層吸収体４５よりも幅狭で且つ後方部Ｃにおいて下層吸収体４５の横方向Ｙの中央部の肌対向面上に配置された、後側上層吸収体４７とを具備している。排泄部対向中高領域４１は、前側上層吸収体４６と下層吸収体４５における前側上層吸収体４６の下方に位置する部分とから形成され、後方中高領域４２は、後側上層吸収体４７及び下層吸収体４５における後側上層吸収体４７の下方に位置する部分から形成されている。上層吸収体４６，４７は、それぞれ、平面視において角が丸みを帯びた略矩形形状で、その長手方向を下層吸収体４５の縦方向Ｘに一致させて、下層吸収体４５上に配置されている。排泄部対向中高領域４１を形成する２個の吸収体４５，４６の間、後方中高領域４２を形成する２個の吸収体４５，４７の間、並びに吸収体４（下層吸収体４５、上層吸収体４６，４７）と表面シート２及び裏面シート３との間は、それぞれ、接着剤によって接合されていても良い。
【００２２】
本実施形態においては、図１〜図３に示すように、本体５の縦方向Ｘに沿う左右両側部に、少なくとも排泄部対向部Ｂにおいて着用時に着用者の肌側に向かって起立する一対の立体ギャザー１０，１０が設けられている。各立体ギャザー１０は、基壁部１１と、該基壁部１１の上端部１１ａに連接され、縦方向Ｘに沿って弾性部材１５が伸長状態で配されている弾性伸縮部１２とを含んで構成されている。
【００２３】
立体ギャザー１０について更に説明すると、立体ギャザー１０は、弾性部材１５に加えて更に、縦方向Ｘに一定の幅を有する１枚のサイドシート１６を含んで構成されており、サイドシート１６は、図２及び図３に示すように、基壁部１１及びその上端部１１ａに弾性伸縮部１２が連設された形状を有するように折り返されている。従って、サイドシート１６を折り返して形成された立体ギャザー１０は、図２及び図３に示すように、基壁部１１及び弾性伸縮部１２において２層構造となっている。この２層構造を構成するサイドシート１６，１６間は、図示しない接着剤によって接合されている。
【００２４】
基壁部１１は、吸収体４の上方にて本体５の肌対向面（表面シート２の肌対向面２ａ）に接合されており、図２に示すように、その接合部１３を起点として着用時に着用者の肌側に向かって起立する起立部１４を有している。基壁部１１における起立部１４以外の部分は、吸収体４（下層吸収体４５）の縦方向Ｘに沿う側縁に沿って巻き下げられ、更に吸収体４の該側縁から横方向Ｙの外方に延出し、その延出部が、接着剤やヒートシール等の公知の接合手段によって、裏面シート３における、吸収体４の該側縁からの延出部に接合されている。基壁部１１（起立部１４）と表面シート２との接合部１３は、平面視において線状であり、縦方向Ｘに沿って立体ギャザー１０の略全長に亘って延びている。接合部１３は、ホットメルト接着剤等の接着剤が塗布されて形成されている。線状の接合部１３は、縦方向Ｘに沿って接着剤が連続的に塗布された連続線であっても良く、あるいは接着剤が不連続に塗布された破線であっても良く、また、直線でも曲線でも良い。本実施形態における線状の接合部１３は、直線且つ連続線である。
【００２５】
弾性伸縮部１２は、図２及び図３に示すように、基壁部１１（起立部１４）の上端部１１ａから横方向Ｙの外方に張り出している。弾性伸縮部１２には、縦方向Ｘに延びる複数本（本実施形態では４本）の弾性部材１５が伸長状態でサイドシート１６に接合固定されていることによって伸縮性が付与されており、その伸縮方向は縦方向Ｘに一致している。弾性伸縮部１２（伸縮性が阻害されていない部分）は、少なくとも排泄部対向部Ｂの全域に亘り、本実施形態では更に、後方部Ｃ及び前方部Ａそれぞれの排泄部対向部Ｂ寄りの部分にも亘っている。弾性部材１５は、弾性伸縮部１２を構成する２枚のサイドシート１６，１６の間に伸長状態で配置されており、図示しない接着剤によって両サイドシート１６，１６に接合されている。弾性伸縮部１２は、縦方向Ｘに延びる複数本の弾性部材１５が横方向Ｙに所定間隔を置いて配置されていることによって、図１〜図３に示すように面状に形成されており、この面状の部分（弾性伸縮部１２の上面）がナプキン１の着用者の肌に当接する。
【００２６】
弾性伸縮部１２の幅は、フィット性及び漏れ防止の観点から、好ましくは８ｍｍ以上、更に好ましくは１０ｍｍ以上、そして、好ましくは２０ｍｍ以下、更に好ましくは１４ｍｍ以下、より具体的には、好ましくは８ｍｍ以上２０ｍｍ以下、更に好ましくは１０ｍｍ以上１４ｍｍ以下である。また、弾性伸縮部１２における弾性部材１５の本数は、弾性伸縮部１２の上面が着用者の肌に面状に当接することを可能にする観点から、好ましくは２本以上、更に好ましくは３本以上、そして、好ましくは６本以下、より具体的には、好ましくは３本以上６本以下である。
【００２７】
図１に示すように、排泄部対向部Ｂを挟んで立体ギャザー１０の縦方向Ｘの前側（前方部Ａ側）及び後側（後方部Ｃ側）それぞれに、弾性伸縮部１２が本体５に接合されてその伸縮性が阻害された非伸縮領域（前側非伸縮領域１２Ａ，後側非伸縮領域１２Ｂ）が形成されている。立体ギャザー１０における前側非伸縮領域１２Ａと後側非伸縮領域１２Ｂとに挟まれた領域は、弾性伸縮部１２の伸縮性が阻害されていない（弾性伸縮部１２が本体５に接合されていない）伸縮領域１２Ｃとなっている。伸縮領域１２Ｃは、少なくとも排泄部対向部Ｂの縦方向Ｘの全長に亘って連続している。図３には、後側非伸縮領域１２Ｂの横方向Ｙに沿う模式的な断面図が示されている。後側非伸縮領域１２Ｂは、図３に示すように、弾性伸縮部１２が基壁部１１と共に、本体５を構成する表面シート２に、接着剤やヒートシール等の公知の接合手段によって接合されて形成されている。尚、図示していないが、前側非伸縮領域１２Ａも、図３に示す後側非伸縮領域１２Ｂと同様に構成されている。
【００２８】
ナプキン１は、本体５の縦方向Ｘに沿って延びる左右一対の立体ギャザー１０の弾性伸縮部１２，１２が、それぞれ、伸長状態で前側非伸縮領域１２Ａ及び後側非伸縮領域１２Ｂにて本体５に接合されていることにより、自然状態において両非伸縮領域１２Ａ，１２Ｂ間で湾曲する。ナプキン１は、弾性伸縮部１２の収縮によって、縦方向Ｘの全体形状が、自然状態において肌当接面側（表面シート２側）に凹状に湾曲する。
【００２９】
図１〜図３に示すように、本体５の肌対向面（表面シート２の肌対向面２ａ）には、表面シート２及び吸収体４が裏面シート３側に向かって一体的に凹陥してなる溝として、排泄部対向中高領域４１（前側上層吸収体４６）を囲繞し且つ排泄部対向中高領域４１に沿って縦方向Ｘに延びる連続した直線状部分（縦溝部５１の少なくとも一部）を有する第１の溝５０と、該第１の溝５０の縦方向後端５０ｂよりも縦方向Ｘの後側に位置する第２の溝６０とが形成されている。図１に示すように、第１の溝５０と第２の溝６０とは繋がっていない。
【００３０】
本実施形態においては、前記溝として、第１の溝５０及び第２の溝６０に加えて更に、前方部Ａに位置し且つ縦方向Ｘの外方に向けて凸状に湾曲する第３の溝７０と、後方部Ｃに位置し且つ平面視してＵ字状の第４の溝８０とが形成されている。両溝７０，８０及び第１の溝５０を構成する一対の縦溝部５１，５１は、それらの端部で繋がって環状の溝を形成しており、該環状の溝の中に、排泄部対向中高領域４１（前側上層吸収体４６）及び後方中高領域４２（後側上層吸収体４７）が位置している。このような溝の形成は、一般に、経血等の排泄液の拡散防止、装着時の身体に対する密着性の向上等に特に有効であるとされるが、溝の平面視形状、配置等が適切になされていなければ、溝の形成意義が薄れ、却ってヨレ等の不都合を招くおそれがある。本考案では、後述するように、溝５０，６０を中心に、それら溝の平面視形状、配置等を工夫することにより、吸収性物品のヨレを効果的に防止し、フィット性及び漏れ防止性の向上を図っている。
【００３１】
第１の溝５０は、図１に示すように、縦方向Ｘに延びる一対の縦溝部５１，５１と横方向Ｙに延びる一対の横溝部（前側横溝部５２，後側横溝部５３）とを有している。一対の縦溝部５１，５１は、それぞれ、排泄部対向部Ｂから後方部Ｃに亘って、排泄部対向中高領域４１に沿って縦方向Ｘに連続しており、縦方向Ｘの前側の端部（第３の溝７０と繋がっている部分）及びその近傍を除いて、連続した直線状をなし、縦溝部５１全体として略直線状である。前側横溝部５２は、前方部Ａと排泄部対向部Ｂとの境界又は該境界の近傍に位置し、後側横溝部５３は後方部Ｃに位置している。横溝部５２，５３は、それぞれ、平面視して縦方向Ｘの外方に向けて凸状に湾曲しており、横方向Ｙにおいて前側横溝部５２の凸の頂部（第１の溝５０の前端５０ａ）と後側横溝部５３の凸の頂部（第１の溝５０の後端５０ｂ）とを一致させて、縦方向Ｘに所定間隔を置いて形成されており、この横溝部５２，５３間に、排泄部対向中高領域４１が位置している。横溝部５２，５３それぞれの凸の頂部（第１の溝５０の前端５０ａ及び後端５０ｂ）は、本体５の横方向Ｙの中央に位置している。
【００３２】
図１に示すように、第１の溝５０において、一対の縦溝部５１，５１と後側横溝部５３とは繋がっておらず、両溝５１，５３の間には、表面シート２及び吸収体４が裏面シート３側に向かって一体的に凹陥していない非凹陥部Ｐが形成されている。本実施形態においては、一対の縦溝部５１，５１は前側横溝部５２とも繋がっておらず、両溝５１，５２の間にも非凹陥部Ｐが形成されている。
【００３３】
第２の溝６０は、図１に示すように、縦方向Ｘに延びる一対の縦溝部６１，６１を有し且つ平面視において縦方向Ｘの前側が開いた形状をなしている。より具体的には、第２の溝６０は、後方中高領域４２（後側上層吸収体４７）に沿って縦方向Ｘに連続した直線状をなす一対の縦溝部６１，６１と、これと連続し、縦溝部６１よりも縦方向Ｘの後側に位置し横方向Ｙに延びる横溝部６２とを有し、その全体が後方部Ｃに位置している。横溝部６２は、本体５（ナプキン１）の縦方向Ｘの後端に向けて凸状に湾曲し、図１に示す如き平面視において、本体５の縦方向Ｘの後端に向けて凸の略Ｕ字状をしている。このように、第２の溝６０は、平面視において、縦方向Ｘの前側が開放され、後側が閉鎖されており、また、一対の縦溝部６１，６１それぞれの縦方向Ｘの前端が、第２の溝６０の縦方向Ｘの前端６０ａを形成し、横溝部６２の縦方向Ｘの後端（凸の頂部）が、第２の溝６０の縦方向Ｘの後端６０ｂを形成している。
【００３４】
図１に示すように、第２の溝６０の縦方向前端６０ａ（一対の縦溝部６１，６１それぞれの縦方向Ｘの前端）は、後方中高領域４２（後側上層吸収体４７）の縦方向前端４２ａよりも縦方向Ｘの後側に位置している。即ち、後方中高領域４２の縦方向前端４２及びその近傍は、第２の溝６０よりも縦方向Ｘの前側に位置しており、第２の溝６０は、後方中高領域４２の縦方向前端４２及びその近傍を除く部分を包囲している。
【００３５】
図１に示すように、縦方向Ｘにおいて、一対の立体ギャザー１０，１０それぞれの後側非伸縮領域１２Ｂと第２の溝６０とが重なっている。即ち、ナプキン１（本体５）を横方向Ｙに横断する該横方向Ｙと平行な仮想直線（図示せず）を引き、且つ該仮想直線を縦方向Ｘに沿って移動させた場合、ナプキン１は、後側非伸縮領域１２Ｂと第２の溝６０とが該仮想直線上に同時に存する部分を有している。より具体的には、第２の溝６０は、該溝６０の縦方向前端６０ａが、立体ギャザー１０の後側非伸縮領域１２Ｂよりも縦方向前側、即ち、立体ギャザー１０の伸縮領域１２Ｃと縦方向Ｘにおいて重なる領域に位置し、該溝６０の縦方向後端６０ｂが、立体ギャザー１０の後側非伸縮領域１２Ｂと縦方向Ｘに関して重なる領域に位置している。
【００３６】
第２の溝６０が立体ギャザー１０との関係においてこのように配置されていることにより、立体ギャザー１０の起立部分（伸縮領域１２Ｃ）を本体５の縦方向後端寄りまで過度に配置することなくても、後方部Ｃからの排泄液の漏れを抑制することが可能となる。立体ギャザーの伸縮領域が後方部において過度に配置されていると、着用時の違和感が懸念され、また、着用者の動作によってズレが生じ易い後方部で立体ギャザーが捻れてしまい、その影響が前方部における該立体ギャザーの起立状態に及んで漏れ性能への影響が懸念されるが、本実施形態のように構成することで、これらの懸念を払拭することができる。しかも、本実施形態では、前述したように、第２の溝６０の縦方向前端６０ａが後方中高領域４２の縦方向前端４２ａよりも縦方向Ｘの後側に位置していることに起因して、後方中高領域４２の縦方向前端４２ａにおける横方向Ｙの両端から後方へ向かって流れた排泄液を、吸収力が十分に残っている、後方中高領域４２の縦方向前端４２ａよりも後側の側部から吸収できるので、漏れ抑制性能に一層優れる。
【００３７】
図１に示すように、第３の溝７０は、平面視して本体５（ナプキン１）の縦方向Ｘの前端に向けて凸状に湾曲し、その凸の頂部７０ａが、第１の溝５０の前端５０ａ（前側横溝部５２の凸の頂部）よりも縦方向Ｘの前側に位置している。第３の溝７０の凸の頂部７０ａと前側横溝部５２の凸の頂部（第１の溝５０の前端５０ａ）とは、横方向Ｙにおいて一致している。尚、ナプキン１を個装形態に折り畳む場合、第３の溝７０の凸の頂部７０ａ又はその近傍を通って横方向Ｙに延びる仮想直線（図示せず）は、ナプキン１の縦方向Ｘの前端から数えて第１折曲線として利用し得る。
【００３８】
また、第４の溝８０は、平面視して本体５（ナプキン１）の縦方向Ｘの後端に向けて凸のＵ字状をなし、その凸の頂部８０ｂが、第２の溝６０の後端６０ｂ（横溝部６２の凸の頂部）よりも縦方向Ｘの後側に位置している。第４の溝８０の凸の頂部８０ｂと第２の溝６０の後端６０ｂとは、横方向Ｙにおいて一致している。
【００３９】
一方、第４の溝８０の縦溝部（溝８０における縦方向Ｘに延びる部分）と第２の溝６０の縦方向前端６０ａとの間には、図１に示すように、横方向Ｙに関して間隔が設けられている。斯かる溝８０と溝６０の前端６０ａとの間隔は、前側から流れてきた排泄液の大部分を第２の溝６０で囲まれた領域（後方中高領域４２）に導くと共に、該排泄液の一部を第２の溝６０と第４の溝８０とで囲まれた領域に早期に導くことで、排泄液が縦方向Ｘの前後に分配されて吸収されることを促進するので、漏れ抑制に役立つ。また、第４の溝８０は、立体ギャザー１０の非伸縮領域（後側非伸縮領域１２Ｂ）と縦方向Ｘにおいて重なる領域に存在しており、立体ギャザー１０が起立しない部分における排泄液の横漏れ抑制に有効である。
【００４０】
これらの溝５０〜８０は、図１に示すように、何れも線状である。ここで、「線状」とは、溝（凹陥部）の形状が平面視において直線に限られず、曲線を含み、各線は、連続線でも破線でも良い。溝５０〜８０においては、表面シート２及び吸収体４が熱融着等により一体化している。溝５０〜８０は、熱を伴うか又は伴わないエンボス、あるいは超音波エンボス等のエンボス加工により常法に従って形成することができる。
【００４１】
図４には、第１の溝５０を構成する一対の縦溝部５１，５１のうちの一方（図１中、右側の縦溝部５１）の一部が拡大して示されており、図５には、第１の溝５０を構成する後側横溝部５３が拡大して示されている。縦溝部５１及び後側横溝部５３は、それぞれ、表面シート２における凹陥していない肌対向面２ａからの凹陥深さが相対的に深い深凹陥部２０と、該凹陥深さが相対的に浅い浅凹陥部２１とが、一方向に交互に配置されて形成されている。
【００４２】
両凹陥部２０，２１は、何れも溝５０（縦溝部５１、横溝部５２，５３）の底部であり、図４及び図５に示す如き平面視において四角形形状（矩形形状）をなしている。深凹陥部２０は、溝部の形成時におけるエンボス加工において、浅凹陥部２１の形成時よりも高圧で圧搾された部分であり、浅凹陥部２１よりも高密度で且つ厚みが小さい（溝の深さとしては浅凹陥部２１よりも深い）。
【００４３】
図４に示すように、縦溝部５１においては、深凹陥部２０及び浅凹陥部２１は、それぞれ、横方向Ｙの内側から外側（図４では左側から右側）に向かい且つ縦方向Ｘの後側から前側（図４では下側から上側）に斜めに延びる、仮想斜行直線Ｌ３に沿って配置されている。ここで、「深凹陥部２０及び浅凹陥部２１が仮想斜行直線Ｌ３に沿って配置されている」とは、深凹陥部２０及び浅凹陥部２１それぞれの長手方向が仮想斜行直線Ｌ３と一致している状態を意味する。尚、第２の溝６０の縦溝部６１、第３の溝７０の縦溝部（溝７０における縦方向Ｘに延びる部分）及び第４の溝８０の縦溝部（溝８０における縦方向Ｘに延びる部分）に関しても、深凹陥部と浅凹陥部は、同様に斜め方向に延在する。この縦溝部の構成によって、排泄部対向中高領域４１で吸収されなかった排泄液が後方へ流れてきても、横方向Ｙの内側へ該排泄液を導き易く、横漏れが一層抑制される。この縦溝部の構成は、特に、後方中高領域４２に液を導く観点から、第２の溝の縦溝部６１の構成として有用である。
【００４４】
また、図５に示すように、後側横溝部５３においては、深凹陥部２０及び浅凹陥部２１は、それぞれ、縦方向Ｘに沿って配置されている。尚、図示していないが、前側横溝部５２は、後側横溝部５３と同様に構成されており、前側横溝部５２を構成する深凹陥部２０及び浅凹陥部２１は、それぞれ、縦方向Ｘに沿って配置されている。本実施形態においては、第２の溝６０の横溝部６２、第３の溝７０の横溝部（溝７０における横方向Ｙに延びる部分）及び第４の溝８０の横溝部（溝８０における横方向Ｙに延びる部分）に関しても、第１の溝５０の横溝部５２，５３と同様の構成となっている。
【００４５】
本実施形態においては、第１の溝５０以外の他の溝６０，７０，８０も、それぞれ、第１の溝５０と同様に、深凹陥部２０及び浅凹陥部２１から構成されている。第１の溝５０以外の他の溝６０，７０，８０の各部の寸法は、第１の溝５０と同様に設定可能である。
【００４６】
本実施形態のナプキン１は、ウイング部及び後方フラップ部を有する公知の生理用ナプキンと同様に、ショーツ等の着衣に装着して使用する。本実施形態のナプキン１は、前述の如き構成を具備するため、ヨレが起こり難く、フィット性及び漏れ防止性に優れる。
【００４７】
特に、排泄部対向部Ｂを通って縦方向Ｘに延びる排泄部対向中高領域４１が、本体５（ナプキン１）を縦方向に二分する仮想直線を跨ぐ長さを有しているため、着用者の体の動き等の影響によりナプキン１が前後方向（縦方向Ｘ）にズレた場合、あるいは、後漏れを懸念した着用者が予めナプキン１を通常の位置よりも後側（臀部側）寄りに意図的にずらして着用した場合でも、排泄部対向中高領域４１が着用者の排泄部（膣口等）に当接し、結果として、良好なフィット性及び漏れ防止性が得られる。また、排泄部対向中高領域４１は第１の溝５０で包囲されているため、仮に、排泄部対向中高領域４１で吸収されずに面方向に拡散した排泄液があったとしても、その拡散した排泄液は第１の溝５０で堰き止めることができる。また、例えば着用者が就寝中の場合、排泄液はナプキン１の後側に流れ易く、その場合、排泄液が第１の溝５０を越えて縦方向Ｘの後側に流れるおそれがあるところ、仮にそうなったとしても、第１の溝５０の後側には、平面視において本体５の縦方向Ｘの後端に向けて凸の略Ｕ字状（即ち平面視において縦方向前側が開いた形状）をなす第２の溝６０が形成されているため、排泄液は、第２の溝６０で堰き止められると共に、第２の溝６０に囲まれた領域内に閉じ込められ、結果として、漏れ（特に後漏れ）を効果的に防止することができる。また、第１の溝５０は、排泄部対向中高領域４１に沿って縦方向Ｘに延びる連続した直線状部分（縦溝部５１の少なくとも一部）を有しているため、例えば特許文献２に記載されているエンボス溝のように、排泄部対向部〔サイドフラップ１４（ウイング部）を有する領域〕で幅狭に形成され且つ排泄部対向部よりも後側で幅広に形成されている溝に比して、ヨレが起こり難い。
【００４８】
また、本実施形態においては、第１の溝５０を構成する一対の縦溝部５１，５１それぞれにおいて、深凹陥部２０及び浅凹陥部２１が、それぞれ図４に示すように、仮想斜行直線Ｌ３に沿って配置されているため、排泄液が第１の溝５０を越えて外方に拡散し難く、漏れ防止性の一層の向上が図られている。
【００４９】
また、本実施形態においては、第１の溝５０の縦方向後端５０ｂよりも縦方向Ｘの後側で且つ第２の溝６０を構成する一対の縦溝部６１，６１又はそれらの仮想延長線Ｌ２，Ｌ２の間には、後方中高領域４２が形成されているため、排泄部対向中高領域４１で吸収されずに第１の溝５０を越えて第２の溝６０の開放された縦方向前側から流れてきた、排泄液は、後方中高領域４２で吸収され、第２の溝６０を越えて更に縦方向Ｘの後側に流れる不都合が効果的に防止される。また、後方中高領域４２は、排泄部対向中高領域４１に比して面積が小さくなされているため、後方中高領域４２の存在に起因する着用時の違和感が低減されている。
【００５０】
また、排泄部対向中高領域４１と後方中高領域４２との間のように、２つの中高部に挟まれた領域は、吸収性物品の縦方向でみたときの剛性変化が急であるため、吸収性物品が折れ曲がる起点（可撓軸）となり易く、フィット性の低下を招くおそれがあるところ、本実施形態のナプキン１は、下記１）〜４）の構成の採用により、排泄部対向中高領域４１と後方中高領域４２との間が折り曲がりの起点（可撓軸）となり難く且つある程度の柔軟性を有するため、フィット性に優れる。
【００５１】
１）第２の溝６０が、平面視において縦方向前側が開いた形状である。仮に、第２の溝６０の縦方向前側が後側と同様に閉鎖されていると、該溝６０におけるその前側を閉鎖する部分と第１の溝５０（後側横溝部５３）との間に窪みが発生し、結果として、ナプキン１と着用者の肌との間に隙間が生じてフィット性が低下するおそれがある。
２）図１に示す如き平面視において、排泄部対向中高領域４１（前側上層吸収体４６）の縦方向後端及びその近傍が、縦方向Ｘの外方に向けて凸状に湾曲し、その凸状の湾曲部の後方近傍に位置する、排泄部対向中高領域４１を囲繞する第１の溝５０の後側横溝部５３が、該湾曲部と同様に湾曲している。
３）第１の溝５０において、一対の縦溝部５１，５１と後側横溝部５３とは繋がっておらず、両溝５１，５３の間には非凹陥部Ｐが形成されている。
４）第２の溝６０の縦方向前端６０ａが、後方中高領域４２の縦方向前端４２ａよりも縦方向Ｘの後側に位置している。
【００５２】
また、本実施形態においては、縦方向Ｘにおいて、一対の立体ギャザー１０，１０それぞれの後側非伸縮領域１２Ｂと第２の溝６０とが重なっているため、後方中高領域４２が、ナプキン１の着用中に、第１の溝５０の後側横溝部５３あるいはその近傍に形成された横方向Ｙに延びる折り目（ナプキン１を折り畳む際に利用される折曲線）を起点（可撓軸）として、着用者の肌側へ起立する不都合が効果的に抑制され、フィット性及び漏れ防止性の向上が図られる。
【００５３】
本実施形態のナプキン１による前述した作用効果をより確実に奏させるようにする観点から、各部の寸法等は次のように設定することが好ましい。
排泄部対向中高領域４１（前側上層吸収体４６）の縦方向Ｘの長さＲ１は、好ましくは５０ｍｍ以上、更に好ましくは８０ｍｍ以上、そして、好ましくは１８０ｍｍ以下、更に好ましくは１５０ｍｍ以下、より具体的には、好ましくは５０ｍｍ以上１８０ｍｍ以下、更に好ましくは８０ｍｍ以上１５０ｍｍ以下である。
ナプキン１の縦方向Ｘの長さＲ０に対する、排泄部対向中高領域４１（前側上層吸収体４６）の縦方向Ｘの長さＲ１の比率（Ｒ１／Ｒ０）は、好ましくは０．１以上、更に好ましくは０．２以上、そして、好ましくは０．５以下、更に好ましくは０．４以下、より具体的には、好ましくは０．１以上０．５以下、更に好ましくは０．２以上０．４以下である。
排泄部対向中高領域４１（前側上層吸収体４６）の面積Ｓ１に対する、後方中高領域４２（後側上層吸収体４７）の面積Ｓ２の比率（Ｓ１／Ｓ２）は、好ましくは１以上７以下、更に好ましくは２以上５以下である。
【００５４】
後方中高領域４２（後側上層吸収体４７）の縦方向前端４２ａと第２の溝６０の縦方向前端６０ａ（一対の縦溝部６１，６１それぞれの縦方向Ｘの前端）との離間距離Ｑ（図１参照）は、好ましくは１０ｍｍ以上、更に好ましくは１５ｍｍ以上、そして、好ましくは１００ｍｍ以下、更に好ましくは５０ｍｍ以下、より具体的には、好ましくは１０ｍｍ以上１００ｍｍ以下、更に好ましくは１５ｍｍ以上５０ｍｍ以下である。
第２の溝６０における、縦方向Ｘにおいて立体ギャザー１０の後側非伸縮領域１２Ｂと重なる部分の縦方向Ｘの長さＲ２（図１参照）と、第２の溝６０の縦方向Ｘの長さＲ３との比（Ｒ２／Ｒ３）は、好ましくは０．２以上１．０以下、更に好ましくは０．４以上０．８以下である。
【００５５】
第１の溝５０を構成する縦溝部５１の幅Ｔ１（図４参照）は、好ましくは０．５ｍｍ以上、更に好ましくは０．７５ｍｍ以上、そして、好ましくは５ｍｍ以下、更に好ましくは４ｍｍ以下、より具体的には、好ましくは０．５ｍｍ以上５ｍｍ以下、更に好ましくは０．７５ｍｍ以上４ｍｍ以下である。
第１の溝５０を構成する後側横溝部５３の幅Ｔ２（図５参照）は、好ましくは０．５ｍｍ以上、更に好ましくは０．７５ｍｍ以上、そして、好ましくは５ｍｍ以下、更に好ましくは４ｍｍ以下、より具体的には、好ましくは０．５ｍｍ以上５ｍｍ以下、更に好ましくは０．７５ｍｍ以上４ｍｍ以下である。
尚、幅Ｔ１及びＴ２は、溝部全体に亘って同じであっても良く、あるいは溝部の一部で相対的に幅狭になっている等、変化があっても良い。
【００５６】
第１の溝５０を構成する縦溝部５１において、深凹陥部２０及び浅凹陥部２１それぞれの縦方向Ｘに対する傾斜角度α（図４参照）は、好ましくは１０°以上、更に好ましくは２０°以上、そして、好ましくは８０°以下、更に好ましくは７０°以下、より具体的には、好ましくは１０°以上８０°以下、更に好ましくは２０°以上７０°以下である。
【００５７】
深凹陥部２０の幅Ｗ１（図４及び図５参照）は、好ましくは０．５ｍｍ以上、更に好ましくは１ｍｍ以上、そして、好ましくは１５ｍｍ以下、更に好ましくは１０ｍｍ以下、より具体的には、好ましくは０．５ｍｍ以上１５ｍｍ以下、更に好ましくは１ｍｍ以上１０ｍｍ以下である。
浅凹陥部２１の幅Ｗ２（図４及び図５参照）は、好ましくは０．５ｍｍ以上、更に好ましくは１ｍｍ以上、そして、好ましくは２０ｍｍ以下、更に好ましくは１０ｍｍ以下、より具体的には、好ましくは０．５ｍｍ以上２０ｍｍ以下、更に好ましくは１ｍｍ以上１０ｍｍ以下である。
深凹陥部２０の凹陥深さＤ１は、好ましくは０．３ｍｍ以上、更に好ましくは０．５ｍｍ以上、そして、好ましくは３．５ｍｍ以下、更に好ましくは２．５ｍｍ以下、より具体的には、好ましくは０．３ｍｍ以上３．５ｍｍ以下、更に好ましくは０．５ｍｍ以上２．５ｍｍ以下である。
浅凹陥部２１の凹陥深さＤ２は、好ましくは０．１ｍｍ以上、更に好ましくは０．３ｍｍ以上、そして、好ましくは３ｍｍ以下、更に好ましくは２ｍｍ以下、より具体的には、好ましくは０．１ｍｍ以上３ｍｍ以下、更に好ましくは０．３ｍｍ以上２ｍｍ以下である。
尚、凹陥深さＤ１及びＤ２は、表面シート２における凹陥していない肌当接面２ａからの、当該部位の凹陥深さを意味する。また、両深さの比（Ｄ２／Ｄ１）は、好ましくは０．３以上、好ましくは０．６以上であり、そして、好ましくは１未満、更に好ましくは０．９５以下である。
【００５８】
前述した溝（縦溝部、横溝部）の各部の寸法は、肉眼で定規等を使って測定しても良いが、好ましくは、高速・高精度ＣＣＤレーザー変位形を設置した高精度形状測定システムＫＳ−１１００（キーエンス社製）を用いて測定する。測定ピッチ５μm、移動速度１０ｃｍ／ｓとし、表面シートにおける凹陥していない肌対向面及び測定対象の溝を全て含むように測定範囲を指定し測定する。測定したデータを、前記ＫＳ−１１００付属の形状解析アプリケーションＫＳ−Ａｎａｌｙｚｅｒ（キーエンス社製）を用いて解析することにより、各溝部の幅Ｔ１，Ｔ２、各凹陥部の幅Ｗ１，Ｗ２、各凹陥部の深さＤ１，Ｄ２等を算出することができる。
【００５９】
ナプキン１における各部の形成材料について説明すると、表面シート２及び裏面シート３としては、当該技術分野において従来用いられている各種のものを特に制限なく用いることができる。表面シート２としては、例えば、親水化処理が施された各種不織布や開孔フィルム等の液透過性のシートを用いることができる。また、裏面シート３としては、液不透過性でも液透過性でも良く、例えば透湿性を有しない樹脂フィルムや、微細孔を有し、透湿性を有する樹脂フィルム、撥水不織布等の不織布、これらと他のシートとのラミネート体等を用いることができる。
【００６０】
吸収体４（下層吸収体４５、上層吸収体４６，４７）を構成する材料としては、当該技術分野において従来用いられている各種のものを特に制限なく用いることができ、例えば、木材パルプ、合繊繊維等の親水性繊維からなる繊維集合体、又は該繊維集合体に粒子状の高吸水性樹脂を保持させたもの等を用いることができる。また吸収体４は、該繊維集合体等からなる液保持性の吸収性コア（図示せず）と、該吸収性コアを被覆する液透過性のコアラップシート（図示せず）とを含んで構成されていても良く、その場合、吸収性コアとコアラップシートとの間は、所定の部位においてホットメルト粘着剤等の接合手段により接合されていても良い。吸収性コアを被覆するコアラップシートとしては、例えば、ティッシュペーパー等の紙や各種不織布、開孔フィルム等を用いることができる。
【００６１】
立体ギャザー１０を構成するサイドシート１６としては、当該技術分野において従来用いられている各種のものを特に制限なく用いることができ、例えば、例えば、撥水性の不織布、樹脂フィルム製のシート、不織布と樹脂フィルムとのラミネート体等を用いることができる。特に撥水性のエアスルー不織布を用いることが、肌触りのよさと横モレ防止の点から好ましい。また、弾性伸縮部１２に配される弾性部材１５としては、当該技術分野において従来用いられている各種のものを特に制限なく用いることができ、糸状でも帯状でも良い。
【００６２】
以上、本考案をその好ましい実施形態に基づき説明したが、本考案は前記実施形態に制限されない。例えば、前記実施形態における立体ギャザー１０は、基壁部１１（起立部１４）の上端部１１ａから弾性伸縮部１２が横方向Ｙの外方のみに張り出して構成されていたが、本考案においては立体ギャザーの形態は特に制限されず、例えば、弾性伸縮部は、基壁部（起立部）の上端部から横方向Ｙの外方に張り出す外方弾性伸縮部と内方に張り出す内方弾性伸縮部とから構成されていても良く、その場合、該外方弾性伸縮部及び該内方弾性伸縮部は、両者が一体となって平面状に形成され、起立部１４と合わせて、図２に示す如き横方向Ｙに沿う断面視において、Ｔ字状を形成するように起立する。また、第３の溝７０及び第４の溝８０は無くても良い。
【００６３】
また、本考案に係る生理用ナプキンは、ウイング部を有しないものであっても良く、後方フラップ部を有しないものであっても良く、ウイング部及び後方フラップ部を有しないものであっても良い。また、本考案の吸収性物品は、パンティライナ（おりものシート）、失禁パッド等であっても良い。
【００６４】
また、本考案に関して、具体的な好ましい実施形態は以下の通りである。
【００６５】
〔１〕  肌対向面を形成する表面シート、非肌対向面を形成する裏面シート及び両シート間に介在された吸収体を具備する本体を備え、着用者の前後方向に相当する縦方向とこれに直交する横方向とを有する吸収性物品であって、前記吸収体は、その横方向中央部がその周囲領域よりも厚みが厚く且つ肌対向面側に突出する中高部を有し、該中高部は、着用時に着用者の排泄部に対向配置される排泄部対向部を通って縦方向に延び且つ前記本体を縦方向に二分する仮想直線を跨ぐ、排泄部対向中高領域を含んでおり、前記本体の肌対向面に、前記表面シート及び前記吸収体が前記裏面シート側に向かって一体的に凹陥してなる溝として、前記排泄部対向中高領域を囲繞し且つ該排泄部対向中高領域に沿って縦方向に延びる連続した直線状部分を有する第１の溝と、該第１の溝の縦方向後端よりも縦方向後側に位置する第２の溝とが形成されており、該第１の溝と該第２の溝とは繋がっておらず、前記第２の溝は、縦方向に延びる一対の縦溝部を有し且つ平面視において縦方向前側が開いた形状をなしている吸収性物品。
〔２〕  前記吸収性物品の縦方向の長さＲ０に対する、前記排泄部対向中高領域の縦方向の長さＲ１の比率（Ｒ１／Ｒ０）は、０．１以上０．５以下である前記〔１〕記載の吸収性物品。
〔３〕  前記中高部は、前記排泄部対向中高領域に加えて更に、前記第１の溝の縦方向後端よりも縦方向後側で且つ前記第２の溝を構成する一対の前記縦溝部又は該縦溝部の仮想延長線の間に位置する、後方中高領域を含んでいる前記〔１〕又は〔２〕記載の吸収性物品。
〔４〕  前記第２の溝の縦方向前端は、前記後方中高領域の縦方向前端よりも縦方向後側に位置する前記〔３〕記載の吸収性物品。
〔５〕  前記後方中高領域の縦方向前端と前記第２の溝の縦方向前端との離間距離は、１０ｍｍ以上１００ｍｍ以下である前記〔４〕記載の吸収性物品。
〔６〕  前記排泄部対向中高領域の縦方向の長さは、５０ｍｍ以上１８０ｍｍ以下である、前記〔１〕〜〔５〕の何れか１つに記載の吸収性物品。
【００６６】
〔７〕  前記本体の縦方向に沿う左右両側部に、少なくとも前記排泄部対向部において着用時に着用者の肌側に向かって起立する一対の立体ギャザーが設けられており、該立体ギャザーは、基壁部と、該基壁部の上端部に連接され、縦方向に沿って弾性部材が伸長状態で配されている弾性伸縮部とを含んで構成されており、前記排泄部対向部を挟んで前記立体ギャザーの縦方向前側及び後側それぞれに、前記弾性伸縮部が前記本体に接合されその伸縮性が阻害された、非伸縮領域が形成されており、縦方向において、縦方向後側の該非伸縮領域と前記第２の溝とが重なっている前記〔１〕〜〔６〕の何れか１つに記載の吸収性物品。
〔８〕  前記第２の溝は、該溝の縦方向前端が、前記立体ギャザーの縦方向後側の非伸縮領域よりも縦方向前側に位置し、該溝の縦方向後端が、該立体ギャザーの該非伸縮領域と縦方向に関して重なる領域に位置している前記〔７〕記載の吸収性物品。
〔９〕  前記本体の肌対向面に第３の溝を有し、該第３の溝は、平面視して該本体の縦方向の前端に向けて凸状に湾曲し、その凸の頂部が、前記第１の溝の縦方向前端よりも縦方向の前側に位置している前記〔１〕〜〔８〕の何れか１つに記載の吸収性物品。
〔１０〕  前記本体の肌対向面に第４の溝を有し、該第４の溝は、平面視して該本体の縦方向の後端に向けて凸のＵ字状をなし、その凸の頂部が、前記第２の溝の縦方向後端よりも縦方向の後側に位置しており、且つ該第４の溝は、前記立体ギャザーの前記非伸縮領域と縦方向において重なる領域に存在している前記〔７〕〜〔９〕の何れか１つに記載の吸収性物品。
〔１１〕  前記第４の溝と前記第２の溝の縦方向前端との間には、横方向に関して間隔が設けられている前記〔１０〕記載の吸収性物品。
【００６７】
〔１２〕  前記第１の溝は、縦方向に延びる一対の縦溝部と横方向に延びる一対の横溝部とを有し、該第１の溝を構成する該縦溝部及び該横溝部は、それぞれ、前記表面シートにおける凹陥していない肌対向面からの凹陥深さが相対的に深い深凹陥部と、該凹陥深さが相対的に浅い浅凹陥部とが、一方向に交互に配置されて形成されており、前記第１の溝を構成する一対の前記縦溝部それぞれにおいては、前記深凹陥部及び前記浅凹陥部は、それぞれ、横方向内側から外側に向かい且つ縦方向後側から前側に斜めに延びる、仮想斜行直線に沿って配置されており、前記第１の溝を構成する一対の前記横溝部のうちの縦方向後側に位置する後側横溝部においては、前記深凹陥部及び前記浅凹陥部は、それぞれ、縦方向に沿って配置されている前記〔１〕〜〔１１〕の何れか１つに記載の吸収性物品。
〔１３〕  前記第１の溝を構成する前記縦溝部において、前記深凹陥部及び前記浅凹陥部それぞれの縦方向に対する傾斜角度が１０°以上８０°以下である前記〔１２〕記載の吸収性物品。
〔１４〕  前記深凹陥部の深さは０．３ｍｍ以上３．５ｍｍ以下である、前記〔１２〕又は〔１３〕記載の吸収性物品。
〔１５〕  前記浅凹陥部深さは、０．１ｍｍ以上３ｍｍ以下であり、前記深凹陥部の深さとの比（浅凹陥部深さ／深凹陥部深さ）は、好ましくは０．３以上１未満である、前記〔１２〕〜〔１４〕の何れか１つに記載の吸収性物品。
【符号の説明】
【００６８】
１  生理用ナプキン（吸収性物品）
２  表面シート
３  裏面シート
４  吸収体
５  本体
１０  立体ギャザー
１１  基壁部
１２  弾性伸縮部
１２Ａ  前側非伸縮領域
１２Ｂ  後側非伸縮領域
１２Ｃ  伸縮領域
１５  弾性部材
１６  サイドシート
２０  深凹陥部
２１  浅凹陥部
４１  排泄部対向中高領域
４２  後方中高領域
４５  下層吸収体
４６  前側上層吸収体
４７  後側上層吸収体
５０  第１の溝
５１  第１の溝の縦溝部
５２  第１の溝の前側横溝部
５３  第１の溝の後側横溝部
６０  第２の溝
７０  第３の溝
８０  第４の溝
Ａ  前方部
Ｂ  排泄部対向部
Ｃ  後方部
Ｘ  縦方向
Ｙ  横方向
【図１】
0003204425.tif 000003
【図２】
0003204425.tif 000004
【図３】
0003204425.tif 000005
【図４】
0003204425.tif 000006
【図５】
0003204425.tif 000007